(57)【特許請求の範囲】
【請求項１】
送受信アンテナを通じた無線伝送により圧縮映像音声データを外部送信する機能を有する映像撮影装置であって、
前記送受信アンテナの受信信号の電界の強度を検出し、この電界の強度が所定判定レベル未満のとき弱電界識別信号を出力する電界強度検出手段と、
前記電界強度検出手段からの弱電界識別信号を受けて、前記弱電界識別信号の受信継続時間に基づいて、データのエンコードの前記受信継続時間に応じた圧縮レートを決定し、レート情報として出力するレート制御手段と、
入力手段により撮影された撮影映像音声データと前記レート制御手段のレート情報とを入力し、この撮影映像音声データを前記レート情報に応じてエンコード圧縮処理して前記圧縮映像音声データとして出力するコーデック手段と、
前記コーデック手段からの圧縮映像音声データを入力し、前記電界強度検出手段が弱電界識別信号を出力しているときは前記圧縮映像音声データを蓄積するバッファリング手段とを備えた
ことを特徴とする映像撮影装置。
【請求項２】
受信時には送受信アンテナからの受信信号の復調を行って復調信号を出力すると同時に電界の強度に応じた強度信号を出力し、送信時には多重システムデータの変調を行って前記送受信アンテナに出力する変復調手段と、
前記変復調手段からの強度信号を入力し、この強度信号に応じた電界の強度を検出し、この電界の強度が所定判定レベル未満のとき弱電界識別信号を出力する電界強度検出手段と、
前記電界強度検出手段からの弱電界識別信号を受けて、前記弱電界識別信号の受信継続時間に基づいて、データのエンコードの前記受信継続時間に応じた圧縮レートを決定し、レート情報として出力するレート制御手段と、
前記変復調手段の復調信号に多重されているデータを分離して分離映像音声データと分離制御情報データとを出力し、一方、エンコード映像音声データとシステム制御情報データとを入力してシステムのフレームフォーマットに応じた多重処理を行って前記多重システムデータを出力する分離多重手段と、
前記分離多重手段の分離映像音声データを入力してデコード処理し、デコード映像音声出力信号として出力手段へ出力する一方、入力手段により撮影された撮影映像音声データを入力し、この撮影映像音声データを前記レート制御手段のレート情報に応じてエンコード圧縮処理して圧縮映像音声データとして出力するコーデック手段と、
前記コーデック手段からの圧縮映像音声データを入力し、前記電界強度検出手段の弱電界識別信号を受けているときは前記圧縮映像音声データを蓄積し、前記弱電界識別信号を受けていないときは前記圧縮映像音声データをそのまま前記エンコード映像音声データとして出力するバッファリング手段とを備えた
ことを特徴とする映像撮影装置。
【請求項３】
前記レート制御手段は、
前記弱電界識別信号の受信継続時間が長いほど前記圧縮レートを高く設定する
ことを特徴とする請求項１又は請求項２記載の映像撮影装置。
【請求項４】
前記バッファリング手段は、
前記コーデック手段からの圧縮映像音声データを蓄積する際に、この圧縮映像音声データをフレーム単位毎に蓄積する
ことを特徴とする請求項１又は請求項２記載の映像撮影装置。
【請求項５】
前記電界強度検出手段は、
弱電界識別信号を出力する際の所定判定レベルとして、第１の判定レベルと第２の判定レベルとを有して、弱電界の識別にヒステリシスを持つ
ことを特徴とする請求項１又は請求項２記載の映像撮影装置。
【請求項６】
前記電界強度検出手段は、
前記弱電界識別信号を出力するに際し、電界の強度が前記第１の判定レベル未満に低下した状態が所定時間継続したときに弱電界識別信号を出力し、
電界の強度が前記第２の判定レベル以上に高くなった状態が設定時間継続したときに前記弱電界識別信号の出力を停止する
ことを特徴とする請求項５記載の映像撮影装置。
【発明の詳細な説明】
【発明の属する技術分野】
本発明は、複数台のビデオカメラを用いて撮影記録を同時に行うに際しての映像撮影装置に関するものである。
【従来の技術】
近年、携帯ムービー等の普及が進み、種々の形でビデオ撮影が行われるようになっている。また、撮影した映像データをパソコン上で気軽に編集するソフトなども同時に普及している。
複数のビデオカメラを用いて撮影を行うシステムの技術として、本出願人は、先に特願２００１−０４９９１０号において次の技術を提案している。即ち、このシステムは、ビデオカメラ機能と無線伝送による映像音声信号の送受信機能とを合わせ持った映像撮影装置を複数台使用し、映像撮影装置の中でシステム制御機能を持たせた映像撮影装置を親機、システム制御機能を持たない映像撮影装置を子機とし、親機からの制御情報を子機に無線伝送することにより、親機と子機との間のシステム同期を取りながら、撮影記録を行うシステムである。
このシステムに用いられている映像撮影装置である子機の機能の１つとして、信号の受信状態が弱電界の状態にあると判断された場合に、この状態でのエンコード映像音声データを送信せずに蓄積しておき、通常電界に戻って安定した後に、前記蓄積した映像音声データを子機から親機に対して送信することにより、親機での映像音声の記録をより確実に行うようにした機能が付加されている。
【発明が解決しようとする課題】
しかしながら、子機において蓄積できるデータ量にはハード的な限界があり、蓄積データをバックアップできる期間長には限界がある。従って、弱電界の状態が長く継続してしまう場合には、エンコード映像音声データを途中から全くバックアップできなくなってしまうという問題が懸念される。
また、受信電界が通常電界の判定レベル付近で短期間で頻繁に強弱変化してしまうような受信状況では、映像音声データの子機での安定した蓄積、及び親機への安定した送信が確保されなくなるという懸念がある。
本発明は、かかる問題点に鑑み、その目的は、受信状態において弱電界の状態が長く続いた場合であっても、子機にデータを蓄積できるバックアップ期間を従来に比して長く確保できる映像撮影装置を提供することにある。
【課題を解決するための手段】
前記の目的を達成するため、本発明の映像撮影装置は、受信状態において弱電界の状態が長く続いた場合には、エンコード映像音声データの蓄積途中で、エンコードの圧縮レートを高くすることとする。
即ち、請求項１記載の発明の映像撮影装置は、送受信アンテナを通じた無線伝送により圧縮映像音声データを外部送信する機能を有する映像撮影装置であって、前記送受信アンテナの受信信号の電界の強度を検出し、この電界の強度が所定判定レベル未満のとき弱電界識別信号を出力する電界強度検出手段と、前記電界強度検出手段からの弱電界識別信号を受けて、前記弱電界識別信号の受信継続時間に基づいて、データのエンコードの前記受信継続時間に応じた圧縮レートを決定し、レート情報として出力するレート制御手段と、入力手段により撮影された撮影映像音声データと前記レート制御手段のレート情報を入力し、この撮影映像音声データを前記レート情報に応じてエンコード圧縮処理して前記圧縮映像音声データとして出力するコーデック手段と、前記コーデック手段からの圧縮映像音声データを入力し、前記電界強度検出手段が弱電界識別信号を出力しているときは前記圧縮映像音声データを蓄積するバッファリング手段とを備えたことを特徴とする。
また、請求項２記載の発明の映像撮影装置は、受信時には送受信アンテナからの受信信号の復調を行って復調信号を出力すると同時に電界の強度に応じた強度信号を出力し、送信時には多重システムデータの変調を行って前記送受信アンテナに出力する変復調手段と、前記変復調手段からの強度信号を入力し、この強度信号に応じた電界の強度を検出し、この電界の強度が所定判定レベル未満のとき弱電界識別信号を出力する電界強度検出手段と、前記電界強度検出手段からの弱電界識別信号を受けて、前記弱電界識別信号の受信継続時間に基づいて、データのエンコードの前記受信継続時間に応じた圧縮レートを決定し、レート情報として出力するレート制御手段と、前記変復調手段の復調信号に多重されているデータを分離して分離映像音声データと分離制御情報データとを出力し、一方、エンコード映像音声データとシステム制御情報データとを入力してシステムのフレームフォーマットに応じた多重処理を行って前記多重システムデータを出力する分離多重手段と、前記分離多重手段の分離映像音声データを入力してデコード処理し、デコード映像音声出力信号として出力手段へ出力する一方、入力手段により撮影された撮影映像音声データを入力し、この撮影映像音声データを前記レート制御手段のレート情報に応じてエンコード圧縮処理して圧縮映像音声データとして出力するコーデック手段と、前記コーデック手段からの圧縮映像音声データを入力し、前記電界強度検出手段の弱電界識別信号を受けているときは前記圧縮映像音声データを蓄積し、前記弱電界識別信号を受けていないときは前記圧縮映像音声データをそのまま前記エンコード映像音声データとして出力するバッファリング手段とを備えたことを特徴とする。
また、請求項３記載の発明は、前記請求項１又は請求項２記載の映像撮影装置において、前記レート制御手段は、前記弱電界識別信号の受信継続時間が長いほど前記圧縮レートを高く設定することを特徴とする。
更に、請求項４記載の発明は、前記請求項１又は請求項２記載の映像撮影装置において、前記バッファリング手段は、前記コーデック手段からの圧縮映像音声データを蓄積する際に、この圧縮映像音声データをフレーム単位毎に蓄積することを特徴とする。
加えて、請求項５記載の発明は、前記請求項１又は請求項２記載の映像撮影装置において、前記電界強度検出手段は、弱電界識別信号を出力する際の所定判定レベルとして、第１の判定レベルと第２の判定レベルとを有して、弱電界の識別にヒステリシスを持つことを特徴とする。
また、請求項６記載の発明は、前記請求項５記載の映像撮影装置において、前記電界強度検出手段は、前記弱電界識別信号を出力するに際し、電界の強度が前記第１の判定レベル未満に低下した状態が所定時間継続したときに弱電界識別信号を出力し、電界の強度が前記第２の判定レベル以上に高くなった状態が設定時間継続したときに前記弱電界識別信号の出力を停止することを特徴とする。
以上により、請求項１〜６記載の発明では、受信状態において弱電界の状態が長く続いた場合には、エンコードデータの蓄積途中で、エンコードの圧縮レートが高く設定されるので、データ量が少なくなって、データのバックアップ期間が長くなり、従来では全くバックアップできなかった期間でも子機内でのバックアップが可能となる。
特に、請求項４記載の発明では、バッファリング手段において圧縮映像音声データの蓄積がフレーム単位で行われるので、更にバックアップ期間を延長することが可能である。
更に、請求項５記載の発明では、受信信号の電界の強度が通常電界を判定する判定レベルを境に短期間で頻繁に強弱変化するような受信状況であっても、電界の強度が弱電界か否かの判定に際しての判定レベルにヒステリシスがあるので、弱電界から通常電界に移行して安定した電界状態になって初めて子機での蓄積データを親機に送信することができる。
加えて、請求項６記載の発明では、電界の強度が設定時間以上の期間で第２の判定レベル以上に高くなった場合に限り、弱電界識別信号の出力が停止されるので、より一層通常電界に安定した状態で子機での蓄積データを親機に送信することができる。
【発明の実施の形態】
以下、本発明の実施の形態について図面を参照しながら説明する。
（第１の実施の形態）
図１は、本発明の第１の実施の形態である映像撮影装置のブロック構成を示す。
同図において、２ｂは送受信アンテナであって、他の図示しない映像撮影装置から信号を受信すると共に、後述するように内部で生成する圧縮映像音声データを外部送信する。以下、先ず、信号の受信系統を説明し、その後、圧縮映像音声データの生成系統を説明する。
２１は変復調装置（変復調手段）であって、受信時においては送受信アンテナ２ｂからの受信信号の復調を行って復調信号２１ｂを出力すると共に、受信信号の電界の強度に応じた強度信号２１ｃを出力する。２２は分離多重装置（分離多重手段）であって、前記変復調装置２１の復調信号２１ｂを入力し、この復調信号２１ｂに多重されている映像音声データと制御情報データとの分離を行い、分離映像音声データ２２ｂと分離制御情報データ２２ｃとを出力する。２７は制御情報検出生成装置であって、前記分離多重装置２２により分離された分離制御情報データ２２ｃを入力し、この分離制御情報データ２２ｃから制御情報を検出して、検出制御情報２７ｃを出力する。また、２３はコーデック装置（コーデック手段）であって、前記分離多重装置２２からの分離映像音声データ２２ｂと前記制御情報検出生成装置からの検出制御情報２７ｃとを入力し、この検出制御情報２７ｃに基づいて分離映像音声データ２２ｂをデコード処理して、デコード映像音声出力信号２３ｂを出力装置（出力手段）２４に出力する。
次に、圧縮映像音声データの生成系統を説明する。図１において、２８は電界強度検出装置（電界強度検出手段）であって、前記変復調装置２１から受信信号の電界強度に応じた強度信号２１ｃを入力して受信信号の電界の強度を検出し、この検出した電界の強度を所定判定レベルと比較して、この判定レベル未満のときに弱電界識別信号２８ｂをアクティブにして出力する。２５は撮影装置としての入力装置（入力手段）２５であって、撮影映像音声データ２５ｂを出力する。３０はレート制御装置（レート制御手段）であって、前記電界強度検出装置２８からの弱電界識別信号２８ｂを入力し、弱電界識別信号２８ｂの出力時（アクティブな期間）、即ち、弱電界であると判定されている期間に、前記入力装置２５からの撮影映像音声データ２５ｂのエンコード（符号化）の圧縮レートを可変に決定し、レート情報３０ｂとして出力する。この圧縮レートの決定の詳細は図２において後述する。
前記コーデック装置２３は、前記入力装置２５からの撮影映像音声データ２５ｂと、前記レート制御装置３０からのレート情報３０ｂとを入力し、このレート情報３０ｂに応じて撮影映像音声データ２５ｂに対してエンコードの圧縮処理を行って、圧縮映像音声データ２３ｃとして出力する。２９はバッファリング装置（バッファリング手段）であって、前記コーデック装置２３からの圧縮映像音声データ２３ｃと、前記電界強度検出装置２８からの弱電界識別信号２８ｂとを入力し、弱電界識別信号２８ｂのアクティブ時（即ち、弱電界であると判定されている期間）では、前記コーデック装置２３から入力された圧縮映像音声データ２３ｃをデータを蓄積し、アクティブでない時（即ち、通常電界であると判定されている期間）では、入力された圧縮映像音声データ２３ｃをエンコード映像音声データ２９ｂとして出力する。
また、前記制御情報検出生成装置２７は、親機又は子機として動作することを指示する信号２ａを受けると共に、前記コーデック装置２３による撮影映像音声データ２５ｂの圧縮処理中でのレート制御装置３０の圧縮レートなどを含むシステム制御情報データ２７ｂを出力する。更に、前記分離多重装置２２は、前記バッファリング装置２９からのエンコード映像音声データ２９ｂと、前記制御情報検出生成装置２７からのシステム制御情報データ２７ｂとを入力し、この両データに対してシステムフレームフォーマットに応じた多重処理を行って、多重システムデータ２２ａとして出力する。前記変復調装置２１は、前記分離多重装置２２からの多重システムデータ２２ａの変調を行って送受信アンテナ２ｂに出力する。
次に、前記レート制御装置３０の内部構成を図２に示す。同図において、３０２は弱電界識別信号２８ｂの立下りエッジを検出し、リセット信号３０２ｂを出力するエッジ検出回路、３０１はカウンタ回路であって、弱電界識別信号２８ｂがアクティブな時にシステムクロック３０１ａによってカウントを開始し、そのカウント数に応じたアドレス信号３０１ｂを出力すると共に、前記エッジ検出回路３０２からのリセット信号３０２ｂによって前記アドレス信号３０１ｂをリセットする。３０３はＲＯＭテーブルであって、この内蔵テーブルには、前記コーデック装置２３による圧縮映像音声データ２３ｃのエンコードの圧縮レートが予め書き込まれていて、前記カウンタ回路３０１からのアドレス信号３０１ｂを入力アドレスとして、このアドレス信号に対応する圧縮レートをレート情報３０ｂとして出力する。ここに、予め書き込まれた圧縮レートは、カウンタ回路３０１でのカウント数が増大するほど、即ち、時間の経過に応じて順次段階的に上昇するように設定されている。
以上のように構成された映像撮影装置の動作を図１、図２及び図３を用いて説明する。
送受信アンテナ２ｂが信号を受信して、変復調装置２１が図３に示すような電界の強度信号２１ｃを出力した場合には、電界強度検出装置２８は通常の電界の強さに対して判定レベル未満の電界が弱い際に弱電界であると判定し、ハイレベルの弱電界識別信号２８ｂを出力する。尚、この弱電界識別信号２８ｂの極性はロウレベルであっても構わない。
レート制御装置３０では、弱電界識別信号２８ｂの出力時（ハイレベルの期間）においてカウンタ回路３０１がカウント動作を行い、アドレス信号３０１ｂがカウントアップして行く。ＲＯＭテーブル３０３には、例えば、カウント開始から時刻ｔ１までのアドレス信号３０１ｂに対応して撮影映像音声データのエンコードの圧縮レートｒ３が書き込まれている。同様に、ＲＯＭテーブル３０３には、時刻ｔ１から時刻ｔ２までのアドレス信号３０１ｂに対応して圧縮レートｒ２（ｒ３＜ｒ２）が、時刻ｔ２から時刻ｔ３までのアドレス信号３０１ｂに対応して圧縮レートｒ１（ｒ２＜ｒ１）が各々書き込まれている。
従って、弱電界と判定された期間の圧縮レート（レート情報３０ｂ）は、図３に示すように順次段階的に上昇変化して行く。コーデック装置２３では、撮影映像音声データ２５ｂのエンコードに際し、最初は圧縮レートｒ３でスタートし、時間が経過するに従って圧縮レートｒ２、圧縮レートｒ１と圧縮レートを高くして行きながら、そのエンコードにより得られた圧縮映像音声データ２３ｃをバッファリング装置２９で蓄積するので、従来のように圧縮レートが固定値ｒ３のままエンコードした圧縮映像音声データ２３ｃを蓄積する場合に比べて、データ量を少なくして、蓄積時間を長くすることが可能である。その結果、従来では全く蓄積できない期間以上に弱電界が継続しても、バッファリング装置２９での圧縮映像音声データの蓄積を可能とすることができる。
尚、本実施の形態では、圧縮レートを３段階に変更したが、弱電界の継続時間に応じて多段階に上昇変更しても良いのは勿論である。
（第２の実施の形態）
次に、本発明の第２の実施の形態を説明する。
図４は本発明の第２の実施の形態の映像撮影装置のブロック構成を示す。同図は、前記第１の実施の形態の図１のバッファリング装置２９に代えて、新たなバッファリング装置（バッファリング手段）３１を設けたものである。その他の構成は図１と同様であるので、同様の構成については同一の符号を付してその説明を省略する。
図５は、前記バッファリング装置３１の内部構成を示す。同図において、３１３はゲート回路であって、電界強度検出装置２８からの弱電界識別信号２８ｂの出力時（アクティブな時）にのみ入力装置２５からの撮影映像音声データ２５ｂに同期したフレーム信号２５ｃを有効とし、書き込み制御信号３１３ｂとして出力する。３１１はメモリ回路であって、コーデック装置２３によってエンコードされた圧縮映像音声データ２３ｃを前記ゲート回路３１３からの書き込み制御信号３１３ｂに基づいて書き込み、システムからの読出し制御信号３１２ａを受けている際には前記書き込んだ圧縮映像音声データ２３ｃを蓄積データ３１１ｂとして読み出す。３１２は選択回路であって、システムからの読出し制御信号３１２ａを選択信号として、この読出し制御信号３１２ａを受けている際（即ち、前記メモリ回路３１１に書き込まれた圧縮映像音声データ２３ｃを読み出している時）には、前記メモリ回路３１１からの蓄積データ３１１ｂを選択し、前記読出し制御信号３１２ａを受けていない際には、コーデック装置２３からの圧縮映像音声データ２３ｃを選択して、エンコード映像音声データ３１ｂとして出力する。
以上のように構成された本実施の形態の映像撮影装置では、弱電界識別信号２８ｂがアクティブになり、弱電界であると判定された時には、コーデック装置２３からの圧縮映像音声データ２３ｃがバッファリング装置３１のメモリ回路３１１に書き込まれるが、この時、この書き込みを行うタイミングはゲート回路３１３の書き込み制御信号３１３ｂ（即ち、フレーム信号２５ｃ）によってフレーム単位となるので、書き込みのデータ容量を従来に比べて少なくすることが可能である。
従って、従来では全く蓄積できない期間まで弱電界が継続した場合であっても、圧縮映像音声データ２３ｃの蓄積を良好に行うことができる。メモリ回路３１１に書き込まれた圧縮映像音声データ２３ｃは、電界の強さが通常電界に戻ると、多重の合間にシステムからの読出し制御信号３１２ａに応じてエンコード映像音声データ３１ｂとして分離多重装置２２へ出力され、変復調装置２１によって変調されて、送受信アンテナ２ｂからシステムの親機に無線伝送され、親機に記録される。
尚、本実施の形態では、前記第１の実施の形態の図１のレート制御装置３０を持つ映像撮影装置に対して適用したが、本発明は、その他、圧縮レートが固定で変更されない従来の映像撮影装置に対しても同様に適用できるのは勿論である。
（第３の実施の形態）
続いて、本発明の第３の実施の形態を説明する。
図６は本実施の形態の映像撮影装置のブロック構成を示す。同図では、図１の映像撮影装置の電界強度検出装置２８に代えて、新たな電界強度検出装置（電界強度検出手段）３２を設けている。その他の構成は図１と同様である。
図７は、前記電界強度検出装置３２の内部構成を示す。同図において、３２１はＡＤ変換回路であって、電界強度に応じた強度信号２１ｃを入力し、デジタル強度信号３２１ｂへ変換する。３２２は比較回路であって、前記ＡＤ変換回路３２１からのデジタル強度信号３２１ｂと、システムより決定される第１の判定レベル３２２ａとを大小比較し、デジタル強度信号３２１ｂが第１の判定レベル３２２ａ以下のときハイレベルの弱電界スタート信号３２２ｂを出力する。３２３は他の比較回路であって、前記デジタル強度信号３２１ｂと、システムより決定される第２の判定レベル３２３ａとを大小比較し、デジタル強度信号３２１ｂが第２の判定レベル３２３ａ以上のときハイレベルの弱電界ストップ信号３２３ｂを出力する。ここに、前記第１の判定レベル３２２ａは前記第２の判定レベル３２３ａよりも小値である。３２４はＳＲフリップフロップ回路であって、前記比較回路３２２からの弱電界スタート信号３２２ｂをセット入力とし、他の比較回路３２３からの弱電界ストップ信号３２３ｂをリセット入力として、弱電界識別信号３２ｂを出力する。
以上のように構成された電界強度検出装置３２の動作について、図８を用いて説明する。同図では、受信信号の電界の強さが通常電界時の判定レベル付近で短期間で頻繁に強弱変化している受信状況を示している。強度信号２１ｃはＡＤ変換回路３２１にてデジタル強度信号に変換された後、２つの比較回路３２２、３２３で第１及び第２の判定レベル３２２ａ、３２３ａと各々大小比較され、弱電界スタート信号３２２ｂ、弱電界ストップ信号３２３ｂとなる。ＳＲフリップフロップ回路３２４は、弱電界スタート信号３２２ｂを受けてハイレベルの弱電界識別信号３２ｂを出力し、弱電界ストップ信号３２３ｂを受けてこの弱電界識別信号３２ｂの出力を停止する。
ここで、弱電界から通常電界に戻るための第２の判定レベル３２３ａが弱電界と判定する第１の判定レベル３２２ａよりも大値に設定されていて、弱電界の判定にヒステリシスが持たされているので、通常電界に戻って安定した状態になって弱電界識別信号３２ｂの出力を停止（ロウレベルに変化）させることが可能となる。
（第４の実施の形態）
次に、本発明の第４の実施の形態を説明する。
図９は本実施の形態の映像撮影装置のブロック構成を示す。同図では、図１の映像撮影装置の電界強度検出装置２８に代えて、新たな電界強度検出装置（電界強度検出手段）３３を設けている。その他の構成は図１と同様である。
図１０は、前記電界強度検出装置３３の内部構成を示す。同図において、３２１はＡＤ変換回路であって、電界強度に応じた強度信号２１ｃを入力し、デジタル強度信号３２１ｂへ変換する。３２２は比較回路であって、前記ＡＤ変換回路３２１からのデジタル強度信号３２１ｂと、システムより決定される第１の判定レベル３２２ａとを大小比較し、デジタル強度信号３２１ｂが第１の判定レベル３２２ａ以下のとき弱電界スタート信号３２２ｂを出力する。３２３は他の比較回路であって、前記デジタル強度信号３２１ｂと、システムより決定される第２の判定レベル３２３ａとを大小比較し、デジタル強度信号３２１ｂが第２の判定レベル３２３ａ以上のとき弱電界ストップ信号３２３ｂを出力する。ここに、前記第１の判定レベル３２２ａは前記第２の判定レベル３２３ａよりも小値である。
更に、３２５はカウンタ回路であって、前記比較回路３２２からの弱電界スタート信号３２２ｂをイネーブル信号として入力し、システムクロック３２５ａを基準に順次カウントを行ってセットデータ３２５ｂを出力するが、前記イネーブル信号が無効になった場合にはカウント値をリセットする。３２６は他のカウンタ回路であって、前記比較回路３２３からの弱電界ストップ信号３２３ｂをイネーブル信号として入力し、システムクロック３２６ａを基準に順次カウントを行ってリセットデータ３２６ｂを出力するが、前記イネーブル信号が無効になった場合にはカウント値をリセットする。
加えて、３２７は一致回路であって、前記カウンタ回路３２５からのセットデータ３２５ｂと、システムにて設定されるセット判定値３２７ａとを比較し、この両者が一致するとセット判定信号３２７ｂを出力する。３２８は他の一致回路であって、前記カウンタ回路３２６からのリセットデータ３２６ｂと、システムにて設定されるリセット判定値３２８ａとを比較し、両者が一致するとリセット判定信号３２８ｂを出力する。また、３２４はＳＲフリップフロップ回路であって、前記一致回路３２７からのセット判定信号３２７ｂをセット入力とし、前記一致回路３２８からのリセット判定信号３２８ｂをリセット入力として、弱電界識別信号３３ｂを出力する。
以下、本実施の形態の動作、特に、電界強度検出装置３３の動作について図１１を用いて説明する。同図では、受信信号の電界の強度が通常電界時の判定レベルを境に短期間で頻繁に強弱変化する受信状況を示している。
強度信号２１ｃはＡＤ変換回路３２１にてデジタル強度信号３２１ｂに変換された後、２つの比較回路３２２、３２３で第１及び第２の判定レベル３２２ａ、３２３ａと各々比較されて、弱電界スタート信号３２２ｂ、弱電界ストップ信号３２３ｂとなる。カウンタ回路３２５、３２６は、各々、イネーブル信号である前記弱電界スタート信号３２２ｂ、弱電界ストップ信号３２３ｂがアクティブな期間（ハイレベルの期間）に、カウントを開始する。
一致回路３２７では、前記カウンタ回路３２５からのセットデータ３２５ｂの値（カウント値）がセット判定値３２７ａと一致すると、セット判定信号３２７ｂを出力する。つまり、弱電界スタート信号３２２ｂがアクティブな期間が所定時間（カウント値がセット判定値３２７ａとなるまでの期間）ｔＳだけ連続して検出されると、セット判定信号３２７ｂが出力されて、ＳＲフリップフロップ回路３２４が弱電界識別信号３３ｂを出力する。
同様に、一致回路３２８では、カウンタ回路３２６からのリセットデータ３２６ｂの値（カウント値）がリセット判定値３２８ａと一致すると、リセット判定信号３２８ｂを出力する。つまり、弱電界ストップ信号３２３ｂのアクティブな期間が設定期間（カウント値がリセット判定値３２８ａになるまでの期間）ｔＲだけ連続して検出されると、リセット判定信号３２８ｂが出力されて、ＳＲフリップフロップ回路３２４が前記弱電界識別信号３３ｂの出力を停止する。
このように、本実施の形態の映像撮影装置では、強度信号２１ｃを比較回路３２２、３２３でレベル判定した後、弱電界スタート信号３２２ｂ及び弱電界ストップ信号３２３ｂが連続してアクティブになっているか否かをカウンタ回路３２５、３２６と一致回路３２７、３２８にて判定することにより、受信信号の電界の強さのレベル判定に時間的な判定要素を加味して弱電界か否かを判定できるので、図１１に示すように受信信号の電界の強さが通常電界時の判定レベル付近で短期間に頻繁に強弱変化してしまうような受信状況においても、弱電界の期間を確実に判断検出して、弱電界識別信号３３ｂを安定して出力することができる。
【発明の効果】
以上説明したように、請求項１〜６記載の発明の映像撮影装置によれば、受信状態において弱電界の状態が長く続いた場合には、その継続時間に応じてエンコードデータの蓄積途中でエンコードの圧縮レートを高く設定したので、子機での蓄積データのバックアップ期間を有効に延長することができる。
特に、請求項４記載の発明では、バッファリング手段において圧縮映像音声データの蓄積タイミングを映像フレーム単位毎に制限したので、更にバックアップ期間を延長することが可能である。
更に、請求項５及び請求項６記載の発明によれば、受信信号の電界の強度が通常電界を判定する判定レベルを境に短期間で頻繁に強弱変化するような受信状況であっても、弱電界から通常電界に移行した後の安定した電界状態になって、初めて子機での蓄積データを親機に送信することが可能である。
【図面の簡単な説明】
【図１】  本発明の第１の実施の形態の映像撮影装置のブロック構成を示す図である。
【図２】  同映像撮影装置が備えるレート制御装置の内部ブロック構成を示す図である。
【図３】  受信信号の電界の強度が弱電界に移行した場合の同レート制御装置の動作タイミングを示す図である。
【図４】  本発明の第２の実施の形態の映像撮影装置のブロック構成を示す図である。
【図５】  同映像撮影装置が備えるバッファリング装置の内部ブロック構成を示す図である。
【図６】  本発明の第３の実施の形態の映像撮影装置のブロック構成を示す図である。
【図７】  同映像撮影装置が備える電界強度検出装置の内部ブロック構成を示す図である。
【図８】  受信信号の電界の強度が弱電界に移行した場合の同電界強度検出装置の動作タイミングを示す図である。
【図９】  本発明の第４の実施の形態の映像撮影装置のブロック構成を示す図である。
【図１０】  同映像撮影装置が備える電界強度検出装置の内部ブロック構成を示す図である。
【図１１】  受信信号の電界の強度が弱電界に移行した場合の同電界強度検出装置の動作タイミングを示す図である。
【符号の説明】
２ｂ                     送受信アンテナ
２１                     変復調装置（変復調手段）
２１ｂ                   復調信号
２１ｃ                   強度信号
２２                     分離多重装置（分離多重手段）
２２ａ                   多重システムデータ
２２ｂ                   分離映像音声データ
２２ｃ                   分離制御情報データ
２３                     コーデック装置（コーデック手段）
２３ｂ                   デコード映像音声出力信号
２３ｃ                   圧縮映像音声データ
２４                     出力装置（出力手段）
２５                     入力装置（入力手段）
２５ｂ                   撮影映像音声データ
２７                     制御情報検出生成装置
２７ｂ                   システム制御情報データ
２８、３２、３３         電界強度検出装置（電界強度検出手段）
２８ｂ、３２ｂ、３３ｂ   弱電界識別信号
２９、３１               バッファリング装置（バッファリング手段）
２９ｂ                   エンコード映像音声データ
３０                     レート制御装置（レート制御手段）
３０１                   カウンタ回路
３０２                   エッジ検出回路
３０３                   ＲＯＭテーブル
３１１                   メモリ回路
３１２                   選択回路
３１３                   ゲート回路
３２１                   ＡＤ変換回路
３２２、３２３           比較回路
３２２ａ                 第１の判定レベル
３２３ａ                 第２の判定レベル
３２４                   SRフリップフロップ回路
３２５、３２６           カウンタ回路
３２７、３２８           一致回路
【図１】
0003897642.tif 000002
【図２】
0003897642.tif 000003
【図３】
0003897642.tif 000004
【図４】
0003897642.tif 000005
【図５】
0003897642.tif 000006
【図６】
0003897642.tif 000007
【図７】
0003897642.tif 000008
【図８】
0003897642.tif 000009
【図９】
0003897642.tif 000010
【図１０】
0003897642.tif 000011
【図１１】
0003897642.tif 000012